(57)【要約】【課題】  使用時における摩擦抵抗が小さく、早廻しが円滑に、かつ迅速にできる回転座金付ドライバを提供する。【解決手段】  回転キャップ部１が小球体８の群を介してドライバ本体２側に保持されているため、使用時において回転キャップ部１とドライバ本体２側との間の摩擦抵抗を大幅に小さくすることができる。【選択図】  図１
0003133376.tif 000002
【実用新案登録請求の範囲】
【請求項１】
ドライバの頂部に回転可能に保持され、使用時に手の平に押圧されドライバの早廻しを可能にするための回転キャップ部を有するドライバであって、該ドライバは、前記回転キャップ部が球体からなる回転座金を介して枢支されることを特徴とする回転座金付ドライバ。
【請求項２】
前記球体が、同一平面上に配置される複数個の小球体からなることを特徴とする請求項１に記載の回転座金付ドライバ。
【考案の詳細な説明】
【技術分野】
【０００１】
本考案は、ドライバに係り、特に、頂部に円滑に回転可能なキャップ部を有し、早廻し効果の高い回転座金付ドライバに関する。
【背景技術】
【０００２】
早廻しを可能とするドライバとしては各種のものがあり多くの公知技術も開示されているが、本考案のような回転可能のキャップ部を有する公知技術は見当らない。
公知技術ではないが、従来は図３に示す回転キャップ部１ａを有するドライバ１００ａがある。
【考案の開示】
【考案が解決しようとする課題】
【０００３】
図３に示すドライバ１００ａは、ドライバ本体２ａとこの頂部に設けられる回転キャップ部１ａを有するものからなる。ドライバ本体２ａとしてはグリップ部３ａとこの先端側に設けられる刃部４ａとからなる。一方、回転キャップ部１ａはドライバ本体２ａのグリップ部３ａの頂部に設けられる支持ブロック５ａとこの支持ブロック５ａに回転可能に嵌り込むキャップ部６ａとからなる。また、図示のようにキャップ部６ａとグリップ部３ａの頂面との間には若干の隙間１０が形成される。
【０００４】
以上の構造のドライバ１００ａの使用方法としては、ドライバ本体２ａの刃部４ａを対象ワーク（図略）に係合させた後、回転キャップ部１ａのキャップ部６ａに手の平を押圧しドライバ１００ａ全体を対象ワーク側に押圧した状態でグリップ部３ａを別の手で回転させて対象ワークの締付けや取り外し作業を行うものである。
【０００５】
しかしながら、図３に示すドライバ１００ａの場合は、回転キャップ部１ａのキャップ部６ａが支持ブロック５ａに面接触しているため摩擦抵抗が大きく、グリップ部３ａの回転が円滑に行われず、結果として早廻しが円滑に、かつ迅速にできない問題点があった。また、支持ブロック５ａの摩耗によってキャップ部６ａがグリップ部３ａの頂面に接触し、さらに摩擦抵抗を大にする問題点があった。
【０００６】
本考案は、以上の問題点を解消すべく考案されたものであり、早廻しが常に円滑に行われ、使用による摩耗も少なく、かつ簡便構造からなる回転座金付ドライバを提供することを目的とする。
【課題を解決するための手段】
【０００７】
本考案は、以上の目的を達成するために、請求項１の考案は、ドライバの頂部に回転可能に保持され、使用時に手の平に押圧されドライバの早廻しを可能にするための回転キャップ部を有するドライバであって、該ドライバは、前記回転キャップ部が球体からなる回転座金を介して枢支されることを特徴とする。
【０００８】
また、請求項２の考案は、前記球体が、同一平面上に配置される複数個の小球体からなることを特徴とする。
【考案の効果】
【０００９】
本考案の請求項１の回転座金付ドライバによれば、回転キャップ部が球体を介して支持されているため、使用時における摩擦抵抗が極めて小さく、円滑で、かつ迅速な早廻しが常に可能である効果を上げることができる。
【００１０】
また、請求項２の回転座金付ドライバによれば、球体が複数個の小球体を同一平面上に配置したものからなり、押圧力が分散され、摩擦抵抗を一層小さくでき、かつ耐久性の向上の効果を上げることができる。
【考案を実施するための最良の形態】
【００１１】
以下、本考案の回転座金付ドライバの実施の形態を図面を参照して詳述する。
図１（ａ），（ｂ）は本考案の回転座金付ドライバ１００の全体構造を示すものである。  回転座金付ドライバ１００としては、ドライバ本体２とこの頂部に設けられる回転キャップ部１とからなる。
ドライバ本体２は、早廻し時において把握されるグリップ部３とその先端に設けられる刃部４とからなる。
一方、回転キャップ部１は図１及び図２に示す構造からなる。
【００１２】
ドライバ本体２のグリップ部３の頂部には支持ブロック５が設けられ、この支持ブロック５を囲ってキャップ部６が嵌め込まれている。支持ブロック５は図示のように段状のものからなり、キャップ部６が支持ブロック５に係止して抜け止めされている。
【００１３】
支持ブロック５の頂面には、本考案の主構成要素である球体が搭載され、該球体はキャップ部６の内面に形成される当接面７が当接している。なお、本実施例では前記球体は図１（ａ）に示すように複数（図示では４個）の小球体８の群からなる。即ち、小球体８が支持ブロック５の頂面９とキャップ部６の当接面７との間に介設される。この状態で図２に示すようにキャップ部６の下面がグリップ部３の頂面に接しているように見えるが、微少隙間がその間には形成されている。これにより、キャップ部６の内部へのゴミ等の侵入を防止している。
【００１４】
次に、本考案の回転座金付ドライバ１００の使用方法とその特徴を説明する。まず、図略の対象ワークにドライバ本体２の刃部４を係合せしめた後、回転キャップ部１のキャップ部６に手の平を当て全体を対象ワーク側に押圧する。この状態で別の手でグリップ部３を把握してドライバ本体２側を回転させる。これにより、対象ワークの早廻し締付け及び取り外しを行うことができる。
【００１５】
この場合、回転キャップ部１のキャップ部６が支持ブロック５側に小球体８により支持されているため、摩擦抵抗が極めて小さく、ドライバ本体２側の早廻しが極めて円滑に、かつ迅速に行われる。また、摩擦抵抗が小さいため小球体８の摩耗も極めて少なく、耐久性の向上も図れる。
【００１６】
本考案は、以上の構造からなるが、本考案は以上の説明の内容に限定するものではなく、同一技術的範疇のものが適用されることは勿論である。
【産業上の利用可能性】
【００１７】
本考案は、ドライバに適用される場合について説明しているが、工具としてはドライバに限定するものではなく、早廻しを必要とする他の工具類にも適用可能である。その利用範囲は広い。
【図面の簡単な説明】
【００１８】
【図１】本考案の回転座金付ドライバの全体構造を示す正面図（ａ）及び上面図（ｂ）。
【図２】本考案の回転座金付ドライバの回転キャップ部の詳細構造を示す部分断面図。
【図３】従来使用されている回転キャップ部を有するドライバを示す正面図。
【符号の説明】
【００１９】
１      回転キャップ部
２      ドライバ本体
３      グリップ部
４      刃部
５      支持ブロック
６      キャップ部
７      当接面
８      小球体
９      頂面
１０    隙間
１００  回転座金付ドライバ
【図１】
0003133376.tif 000003
【図２】
0003133376.tif 000004
【図３】
0003133376.tif 000005